【手続補正書】
【提出日】令和3年6月11日(2021.6.11)
【手続補正１】
【補正対象書類名】特許請求の範囲
【補正対象項目名】全文
【補正方法】変更
【補正の内容】
【特許請求の範囲】
【請求項１】
可変表示を実行可能な遊技機であって、
有利状態に制御可能な有利状態制御手段と、
初期状態から第１態様と該第１態様よりも遊技者による認識度合いの高い第２態様とを含む複数種類の態様に変化可能な演出用可動体と、
可変表示に関する情報を保留記憶として記憶可能な保留記憶手段と、
前記保留記憶に対応して、複数種類の表示態様で保留表示を表示可能な保留表示手段と、を備え、
前記保留表示手段は、
前記有利状態に制御されることを示唆する特定態様で前記保留表示を表示可能であり、
前記特定態様とは異なる表示態様であって、前記演出用可動体の態様が変化することを示唆する特殊態様で前記保留表示を表示可能であり、
前記特殊態様として、第１特殊態様と該第１特殊態様とは異なる第２特殊態様とを含み、
前記演出用可動体は、
前記第１特殊態様で前記保留表示が表示される場合に、前記初期状態から前記第１態様または前記第２態様に変化可能であり、
前記第２特殊態様で前記保留表示が表示される場合に、前記初期状態から前記第１態様または前記第２態様に変化可能であり、
前記第１特殊態様で前記保留表示が表示される場合よりも、前記第２特殊態様で前記保留表示が表示される場合の方が、前記初期状態から前記第２態様に変化しやすく、
前記特殊態様で前記保留表示が表示された以後の特定期間における第１タイミングと該第１タイミングよりも後の第２タイミングとにおいて、前記初期状態から前記第１態様または前記第２態様に変化可能であり、
前記第１タイミングにおいて変化する場合よりも、前記第２タイミングにおいて変化する場合の方が、前記初期状態から前記第２態様に変化しやすく、
前記初期状態から前記第１態様に変化する場合と、前記初期状態から前記第２態様に変化する場合と、で変化にかかる期間が異なる、
ことを特徴とする遊技機。
【請求項２】
可変表示を実行可能な遊技機であって、
有利状態に制御可能な有利状態制御手段と、
初期状態から第１態様と該第１態様よりも遊技者による認識度合いの高い第２態様とを含む複数種類の態様に変化可能な演出用可動体と、
可変表示に対応する特定表示を複数種類の表示態様で表示可能な特定表示手段と、を備え、
前記特定表示手段は、
前記有利状態に制御されることを示唆する特定態様で前記特定表示を表示可能であり、
前記特定態様とは異なる表示態様であって、前記演出用可動体の態様が変化することを示唆する特殊態様で前記特定表示を表示可能であり、
前記特殊態様として、第１特殊態様と該第１特殊態様とは異なる第２特殊態様とを含み、
前記演出用可動体は、
前記第１特殊態様で前記特定表示が表示される場合に、前記初期状態から前記第１態様または前記第２態様に変化可能であり、
前記第２特殊態様で前記特定表示が表示される場合に、前記初期状態から前記第１態様または前記第２態様に変化可能であり、
前記第１特殊態様で前記特定表示が表示される場合よりも、前記第２特殊態様で前記特定表示が表示される場合の方が、前記初期状態から前記第２態様に変化しやすく、
前記特殊態様で前記特定表示が表示された以後の特定期間における第１タイミングと該第１タイミングよりも後の第２タイミングとにおいて、前記初期状態から前記第１態様または前記第２態様に変化可能であり、
前記第１タイミングにおいて変化する場合よりも、前記第２タイミングにおいて変化する場合の方が、前記初期状態から前記第２態様に変化しやすく、
前記初期状態から前記第１態様に変化する場合と、前記初期状態から前記第２態様に変化する場合と、で変化にかかる期間が異なる、
ことを特徴とする遊技機。
【手続補正２】
【補正対象書類名】明細書
【補正対象項目名】０００６
【補正方法】変更
【補正の内容】
【０００６】
手段Ａの遊技機は、可変表示を実行可能な遊技機であって、
有利状態に制御可能な有利状態制御手段と、
初期状態から第１態様と該第１態様よりも遊技者による認識度合いの高い第２態様とを含む複数種類の態様に変化可能な演出用可動体と、
可変表示に関する情報を保留記憶として記憶可能な保留記憶手段と、
前記保留記憶に対応して、複数種類の表示態様で保留表示を表示可能な保留表示手段と、を備え、
前記保留表示手段は、
前記有利状態に制御されることを示唆する特定態様で前記保留表示を表示可能であり、
前記特定態様とは異なる表示態様であって、前記演出用可動体の態様が変化することを示唆する特殊態様で前記保留表示を表示可能であり、
前記特殊態様として、第１特殊態様と該第１特殊態様とは異なる第２特殊態様とを含み、
前記演出用可動体は、
前記第１特殊態様で前記保留表示が表示される場合に、前記初期状態から前記第１態様または前記第２態様に変化可能であり、
前記第２特殊態様で前記保留表示が表示される場合に、前記初期状態から前記第１態様または前記第２態様に変化可能であり、
前記第１特殊態様で前記保留表示が表示される場合よりも、前記第２特殊態様で前記保留表示が表示される場合の方が、前記初期状態から前記第２態様に変化しやすく、
前記特殊態様で前記保留表示が表示された以後の特定期間における第１タイミングと該第１タイミングよりも後の第２タイミングとにおいて、前記初期状態から前記第１態様または前記第２態様に変化可能であり、
前記第１タイミングにおいて変化する場合よりも、前記第２タイミングにおいて変化する場合の方が、前記初期状態から前記第２態様に変化しやすく、
前記初期状態から前記第１態様に変化する場合と、前記初期状態から前記第２態様に変化する場合と、で変化にかかる期間が異なる、
ことを特徴とする。
さらに、手段Ｂの遊技機は、可変表示を実行可能な遊技機であって、
有利状態に制御可能な有利状態制御手段と、
初期状態から第１態様と該第１態様よりも遊技者による認識度合いの高い第２態様とを含む複数種類の態様に変化可能な演出用可動体と、
可変表示に対応する特定表示を複数種類の表示態様で表示可能な特定表示手段と、を備え、
前記特定表示手段は、
前記有利状態に制御されることを示唆する特定態様で前記特定表示を表示可能であり、
前記特定態様とは異なる表示態様であって、前記演出用可動体の態様が変化することを示唆する特殊態様で前記特定表示を表示可能であり、
前記特殊態様として、第１特殊態様と該第１特殊態様とは異なる第２特殊態様とを含み、
前記演出用可動体は、
前記第１特殊態様で前記特定表示が表示される場合に、前記初期状態から前記第１態様または前記第２態様に変化可能であり、
前記第２特殊態様で前記特定表示が表示される場合に、前記初期状態から前記第１態様または前記第２態様に変化可能であり、
前記第１特殊態様で前記特定表示が表示される場合よりも、前記第２特殊態様で前記特定表示が表示される場合の方が、前記初期状態から前記第２態様に変化しやすく、
前記特殊態様で前記特定表示が表示された以後の特定期間における第１タイミングと該第１タイミングよりも後の第２タイミングとにおいて、前記初期状態から前記第１態様または前記第２態様に変化可能であり、
前記第１タイミングにおいて変化する場合よりも、前記第２タイミングにおいて変化する場合の方が、前記初期状態から前記第２態様に変化しやすく、
前記初期状態から前記第１態様に変化する場合と、前記初期状態から前記第２態様に変化する場合と、で変化にかかる期間が異なる、
ことを特徴とする。
さらに、前記課題を解決するために、本発明の手段１の遊技機は、
遊技者にとって有利な有利状態（例えば、大当り遊技状態）に制御可能な遊技機（例えば、パチンコ遊技機１）であって、
前記有利状態に制御されることを示唆する示唆演出（例えば、リーチ演出）を実行可能な示唆演出実行手段（例えば演出制御用ＣＰＵ１２０）と、
前記示唆演出に対応したタイトルを報知可能なタイトル報知手段（例えば演出制御用ＣＰＵ１２０）と、を備え、
前記タイトル報知手段は、前記示唆演出の開始から所定期間経過したときに当該示唆演出に対応したタイトルを報知可能であり（例えば図８−２（Ｄ）や図８−２（Ｆ）に示すようにリーチ演出のタイトルを表示する部分）、
前記示唆演出実行手段は、前記示唆演出として少なくとも第１示唆演出（例えばスーパーリーチＡやスーパーリーチＢのリーチ演出）と第２示唆演出（例えばスーパーリーチＤやスーパーリーチＥのリーチ演出）とを実行可能であり、
前記タイトル報知手段は、前記第２示唆演出では、当該第２示唆演出の開始時から当該第２示唆演出に対応したタイトルを報知する（例えば、８−２（Ｈ）に示すように、スーパーリーチＤのリーチ演出の開始から該スーパーリーチＤのリーチ演出に対応したタイトル３１ＡＫ００７を表示する部分）
ことを特徴としている。
この特徴によれば、示唆演出に応じたタイトルの報知を実行できるので演出効果が向上する。